(57)【要約】【課題】本発明は、排水タンクの容量を小さくすることなく、排水タンクを本体から簡単な作業で取り外して持ち運ぶことができ、使用勝手の向上を図ることのできることを課題とする。【解決手段】前面吸気口２、後面吸気口３から本体１内に吸い込まれた空気を蒸発器１５で冷却して空気中の水分を除去し、前記蒸発器１５で除去された水分を貯留する排水タンク２０を前記本体１に設けられた収納室１８に着脱自在に装着し、前記排水タンク２０の上方に上下回動可能に枢支されたハンドル２２とを備え、該ハンドル２２の上方に前記ハンドル２２の一部が臨める空間部２６を形成し、該空間部２６から手を挿入して前記ハンドル２２を掴むようにした。【選択図】　　　　　　　図３
2004061042.tif 000002
【特許請求の範囲】
【請求項１】
本体内に吸い込まれた空気を冷却して空気中の水分を除去する蒸発器と、該蒸発器で除去された水分を貯留し、前記本体に設けられた収納室に着脱自在に装着される排水タンクと、該排水タンクの上方に上下回動可能に枢支されたハンドルとを備え、前記本体と前記排水タンクとの間に手が挿入できる空間部を形成し、前記ハンドルを前記空間部に臨ませたことを特徴とする空気調和機。
【請求項２】
前記空間部を前記ハンドルの上方に形成したことを特徴とする請求項１記載の空気調和機。
【請求項３】
前記排水タンクは、前記本体の前面から着脱されることを特徴とする請求項１記載の空気調和機。
【請求項４】
前記ハンドルが着脱方向に案内される案内溝を前記収納室に形成したことを特徴とする請求項１記載の空気調和機。
【請求項５】
前記ハンドルの枢支部分に前記ハンドルを上方向へ回動させる付勢部材を設けたことを特徴とする請求項１乃至請求項４記載の空気調和機。
【請求項６】
前記ハンドルが前記排水タンクの上面に対して略垂直位置まで回動したとき、前記ハンドルの回動が規制される規制手段を設けたことを特徴とする請求項５記載の空気調和機。
【請求項７】
前記排水タンクが満水水位に達したとき、前記本体の除湿運転を停止することを特徴とする請求項１乃至請求項６記載の空気調和機。
【発明の詳細な説明】
【０００１】
【発明の属する技術分野】
本発明は、空気に含まれる水分を除湿し、この除湿水を貯留する排水タンクを備えた空気調和機に関する。
【０００２】
【従来の技術】
従来、この種の空気調和機に装着される排水タンクの構成は、実開平２−５２０１５号公報（Ｆ２４Ｆ　１／０２）に記載されているように、排水タンクの前面側には手を挿入するための取手部が形成され、排水タンクの上側には排水タンクを持ち運ぶための取手が取り付けられた構成が一般的に知られている。そして、除湿水で排水タンクが満水になると、使用者は、排水タンク前面側の取手部に手を掛けて排水タンクを本体から取りだした後、取手を持って排水タンクを持ち運びできるようになっている。
【０００３】
しかしながら、上記構成では、満水になった排水タンクを持ち運ぶまでに、排水タンクの取手部に手を掛けて本体から取り出す作業と、持ち運ぶための取手を持って運ぶ作業とがあるので、使用者は手を２回持ち替えなければならず、使用勝手が悪くなるという欠点があった。また、取手部を排水タンクに窪ませて形成しているため、排水タンクの容量が小さくなるという問題もあった。
【０００４】
【発明が解決しようとする課題】
本発明は、排水タンクの容量を小さくすることなく、排水タンクを本体から簡単な作業で取り外して持ち運ぶことができ、使用勝手の向上を図ることのできる空気調和機を提供することを課題とする。
【０００５】
【課題を解決するための手段】
本発明は、本体内に吸い込まれた空気を冷却して空気中の水分を除去する蒸発器と、該蒸発器で除去された水分を貯留し、前記本体に設けられた収納室に着脱自在に装着される排水タンクと、該排水タンクの上方に上下回動可能に枢支されたハンドルとを備え、前記本体と前記排水タンクとの間に手が挿入できる空間部を形成し、前記ハンドルを前記空間部に臨ませたことを特徴とする。
【０００６】
上記構成によって、前記本体内に吸い込まれた空気は、前記蒸発器で除湿され、この除湿された水は、前記排水タンクに貯留される。そして、満水になった除湿水を前記排水タンクから排水する場合、使用者は、前記空間部から手を挿入して前記ハンドルに手を掛けて前記収納室から前に引き出した後、そのまま前記ハンドルを掴んで前記排水タンクを持ち上げ、排水場所まで持ち運ぶことができる。従って、使用者は、手を持ち替えることなく簡単に前記本体から前記排水タンクを取り外して持ち運ぶことができ、使用勝手の向上を図ることができる。また、前記排水タンクを引き出すための窪み部分を前記排水タンクに形成しなくてよいので、前記排水タンクの容量が小さくなることがない。
【０００７】
また、前記空間部を前記ハンドルの上方に形成したことを特徴とするので、前記ハンドルを掴む手の方向が順手となり、前記排水タンクが持ち運び易くなり、より使用勝手が向上する。
【０００８】
また、前記排水タンクは、前記本体の前面から着脱されることを特徴とするので、使用者は、前記本体の前面側から前記ハンドルに手を掛けることができ、前記排水タンクを前記収納室から簡単に取り外すことができる。
【０００９】
また、前記ハンドルが着脱方向に案内される案内溝を前記収納室に形成したことを特徴とするので、前記排水タンクを前記収納室から取り外すときは、前記ハンドルが前記案内溝に沿って引き出されるので、前記排水タンクが傾いたり揺れたりしにくくなり、前記排水タンクから水が零れることがなくなる。また、前記排水タンクを前記収納室に収納するときは、前記ハンドルが前記案内溝に沿って収納されるので、前記排水タンクを前記収納室の所定位置に確実に収納することができる。
【００１０】
また、前記ハンドルの枢支部分に前記ハンドルを上方向へ回動させる付勢部材を設けたことを特徴とするので、前記排水タンクが前記収納室から取り外された状態では、前記ハンドルは上方向まで回動しているため、使用者は、前記ハンドルが掴み易くなり、前記排水タンクを簡単に持ち運びできる。
【００１１】
また、前記ハンドルが前記排水タンクの上面に対して略垂直位置まで回動したとき、前記ハンドルの回動が規制される規制手段を設けたことを特徴とするので、満水状態となった前記排水タンクを持ち運ぶとき、前記排水タンクを略水平状態で運ぶことができ、除湿水が前記排水タンクから零れることを防止できる。
【００１２】
また、前記排水タンクが満水水位に達したとき、前記本体の除湿運転を停止することを特徴とするので、前記蒸発器の表面で水分が結露しなくなるため、前記排水タンクの水位が満水水位よりも上がることがなくなり、前記排水タンクから除湿水が溢れ出すことがない。
【００１３】
【発明の実施の形態】
本発明の一実施例の形態を図１乃至図５に基づいて以下に詳述する。
【００１４】
図１は、本発明の実施例を示す除湿機の本体斜視図、図２は、同除湿機の側面断面図、図３は、同除湿機の排水タンクを取り出す動作を示す状態図、図４は、同除湿機の排水タンクの正面図、図５は、同除湿機を上方から見たときの断面図である。
１は、上方から見て前後方向に長い矩形状の除湿機本体で、該本体１の前面と後面とには、それぞれ前面吸気口２、後面吸気口３が形成されている。
４は、前記前面吸気口２の前方に装着された前面ケースである。
【００１５】
５は、前記本体１の上面に形成された排気口で、該排気口５には、吹き出し方向を偏向するルーバー６が回動自在に装着されている。
【００１６】
７は、前記本体１上面に起倒自在に設けられた取手で、前記本体１を持ち運ぶときは、前記取手７を手で掴んで前記本体１を搬送できるようになっている。
【００１７】
８は、前記本体１上面に設けられた操作部で、該操作部８には前記本体１を運転、停止するための運転スイッチ９と、前記ルーバー６の回動動作を入、切するルーバー動作スイッチ１０と、後述する排水タンク２０の満水を知らせる満水ランプ１１とが設けられている。
【００１８】
１２は、前記本体１内を上部室１３と下部室１４との２室に仕切る仕切板である。
【００１９】
１５は、前記上部室１３に配設された蒸発器で、送風機（図示せず）の駆動によって前記前面吸気口２、後面吸気口３から吸い込まれた空気は、前記蒸発器１５を通過する際に冷やされ、空気中の水分が前記蒸発器１５表面に結露することにより除湿される。この結露した水分は、前記仕切板１２に滴下し、排水孔１６を伝って後述する排水タンク２０に貯留されるようになっている。
【００２０】
１７は、前記下部室１４を収納室１８と機械室１９の２室に区画する区画板で、前記収納室１８は、前記本体１の前面下部から着脱自在に装着される箱状の排水タンク２０収納され、前記機械室１９には、凝縮器（図示しない）及び前記蒸発器１５に冷媒を圧縮し循環させる圧縮機２１が収納されるようになっている。
【００２１】
２２は、前記排水タンク２０の上方に取り付けられた門型のハンドルで、該ハンドル２２は、両側に形成された枢支軸２２ａが前記排水タンクの支持部２０ａに連結され、前記枢支軸２２ａを支点として上下回動可能に枢支されている。
【００２２】
２３は、前記枢支軸２２ａに設けられた付勢部材、即ち、コイル状のバネで、該バネの一端は前記支持部２０ａに係合し、他端は前記ハンドル２２に係合して取り付けられ、前記バネ２３の付勢力は、常に前記ハンドル２２を上方に回動させるように働いている。従って、前記排水タンク２０を前記収納室１８に収納している状態では、前記ハンドル２２は、前記バネ２３の付勢力に抗して、後述する案内溝２５によって押さえられている。そして、前記排水タンク２０を前記収納室１８から取り外した状態では、前記ハンドル２２は前記バネ２３の付勢力によって上方向に回動するので、使用者は、前記ハンドル２３が掴み易くなり、前記排水タンク２０を簡単に持ち運びできるようになっている。
【００２３】
２４は、前記支持部２０ａから突出し、前記ハンドル２２の回動を規制する規制手段、即ち、当接部で、該当接部２４は、前記ハンドル２２が前記排水タンク２０に対して略垂直方向になるまで回動したとき、前記ハンドル２２のアーム２２ｂに当接する位置に設けられている。そのため、前記ハンドル２２がそれ以降回動できないように規制され、前記排水タンク２０の水が満水状態であっても前記排水タンク２０を略水平状態で運ぶことができ、除湿水が前記排水タンク２０から零れることを防止できるようになっている。
【００２４】
２５は、前記排水タンク２０の着脱方向と同方向で、前記収納室１８の上壁に形成された２つの案内溝で、前記排水タンク２０を前記収納室１８に収納するとき、前記ハンドル２２のアーム２２ｂが前記案内溝２５に案内され、前記排水タンク２０を前記収納室１８の所定位置に収納できるようになっている。また、前記排水タンク２０を前記収納室１８から引き出すときは、前記アーム２２ｂが前記案内溝２５に案内されるので、前記排水タンク２０が傾いたり揺れたりしにくくなり、前記排水タンク２０から水が零れることがないようになっている。
【００２５】
２６は、前記ハンドル２２の上方に位置し、前記排水タンク２０と前記前面ケース４との間に形成された空間部で、前記排水タンク２０が前記収納室１８に収納されているとき、前記空間部２６から前記ハンドル２２の一部を臨ませるようになっている。この構成により、満水になった除湿水を前記排水タンク２０から排水する場合、図３に示すように、使用者は、前記空間部２６から手を挿入し、前記ハンドル２２に手を掛けて前記収納室１８から前方に引き出し、そのまま前記ハンドル２２を掴んで前記排水タンク２０を持ち上げられるので、使用者は、手を持ち替えることなく簡単に前記本体１から前記排水タンク２０を取り外して持ち運ぶことができるようになっている。また、前記空間部２６を前記ハンドル２０の上方に位置させているので、前記ハンドル２０を掴む手の方向が順手となり、前記排水タンク２０が持ち運び易くなるようになっている。
【００２６】
前記排水タンク２０には、図示しない満水検知手段が設けられており、前記排水タンク２０内に結露水が所定水位まで溜まったことを検知し、前記満水ランプ１１が点灯して満水状態を報知するとともに、前記圧縮機２１の運転を停止するようになっている。
【００２７】
次に、上記構成における動作について説明する。
【００２８】
操作部８の運転スイッチ９を操作すると、室内の空気は、送風機（図示しない）の駆動により前面吸気口２、後面吸気口３から本体１内に取り込まれ、蒸発器１５で結露することにより除湿され、凝縮器（図示しない）で暖められた後、排気口５から室内に吹き出される。
【００２９】
蒸発器１５で結露した水分は水滴となって仕切板１２上に滴下し、排水孔１６を介して排水タンク２０に流れ落ちる。排水タンク２０内に結露水が所定量溜まると、制御部（図示しない）が圧縮機２１の運転を停止させると共に、満水ランプ１１を点灯させて排水タンク２０内が満水状態であることを報知する。
【００３０】
そして、使用者は、満水ランプ１１の点灯を確認してから、空間部２６より手を挿入し、ハンドル２２に手を掛けて収納室１８から前方に引き出す。このとき、アーム２２ｂが案内溝２５に沿って引き出されるので、排水タンク２０が傾いたり揺れたりしにくくなり、排水タンク２０から除湿水が零れることがない。そして、そのままハンドル２２を順手方向で掴んで排水タンク２０を持ち上げ、所定の場所に排水タンク２０を搬送し結露水を排水する。搬送時は、当接部２４によってハンドル２２が排水タンク２０の上面に対して略垂直位置で規制されているので、排水タンク２０を略水平状態で運ぶことができ、除湿水が排水タンク２０から零れないようになっている。
【００３１】
そして、除湿水の排水が終了し、排水タンク２０を収納室１８に収納するときは、ハンドル２２のアーム２２ｂが案内溝２５に案内されるので、排水タンク２０は、収納室１８の所定位置に確実に収納される。
【００３２】
そして、再び収納室１８に排水タンク２０が収納されると、満水状態が解消され、再び除湿動作が開始される。
【００３３】
以上のように、前記排水タンク２０と前記前面ケース４との間に前記空間部２６を設け、前記排水タンク２０が前記収納室１８に収納されているとき、前記空間部２６から前記ハンドル２２の一部を臨ませるようにしたので、満水になった除湿水を前記排水タンク２０から排水する場合、使用者は、前記空間部２６から手を挿入し、前記ハンドル２２に手を掛けて前記収納室１８から前方に引き出し、そのまま前記ハンドル２２を掴んで前記排水タンク２０を持ち上げられるので、使用者は、手を持ち替えることなく簡単に前記本体から前記排水タンク２０を取り外して持ち運ぶことができ、使用勝手の向上を図ることができる。また、前記排水タンク２０を引き出すための窪み部分を前記排水タンク２０に形成しなくてよいので、前記排水タンク２０の容量が小さくなることを抑制することができるという効果がある。
【００３４】
また、前記空間部２６を前記ハンドル２２の上方に形成したので、前記ハンドル２２を掴む手の方向が順手となり、前記排水タンク２０が持ち運び易くなり、より使用勝手を向上させることができるという効果がある。
【００３５】
また、前記排水タンク２０は、前記本体１の前面から着脱されるので、使用者は、前記本体１の前面側から前記ハンドル２２に手を掛けることができ、前記排水タンク２０を前記収納室１８から簡単に取り外すことができるという効果がある。
【００３６】
また、前記収納室１８に前記ハンドル２２のアーム２２ｂが着脱方向に案内される２つの前記案内溝２５を形成したので、前記排水タンク２０を前記収納室１８から取り外すときは、前記ハンドル２２が前記案内溝２５に沿って引き出されるので、前記排水タンク２０が傾いたり揺れたりしにくくなり、前記排水タンク２０から水が零れることを防止できる。また、前記排水タンク２０を前記収納室１８に収納するときは、前記ハンドル２２が前記案内溝２５によって案内されて収納されるので、前記排水タンク２０を前記収納室１８の所定位置に確実に収納することができるという効果がある。
【００３７】
また、前記ハンドル２２の枢支軸２２ａに前記ハンドル２２を上方向へ回動させる前記バネ２３を設けたので、前記排水タンク２０が前記収納室１８から取り外された状態では、前記ハンドル２２は上方向に回動するため、使用者は、前記ハンドル２２が掴み易くなり、前記排水タンク２０を簡単に持ち運びできるという効果がある。
【００３８】
また、前記ハンドル２２が前記排水タンク２０の上面に対して略垂直位置まで回動したとき、前記ハンドル２２のアーム２２ｂが前記当接部２４に当接し、前記ハンドル２２がそれ以降の回動を規制するようにしたので、満水状態となった前記排水タンク２０を持ち運ぶとき、前記排水タンク２０を略水平状態で運ぶことができ、除湿水が前記排水タンク２０から零れることを防止できるという効果がある。
【００３９】
また、前記排水タンク２０が満水水位に達したとき、前記本体１の除湿運転を停止するので、前記蒸発器１５の表面で水分が結露しなくなるため、前記排水タンク２０の水位が満水水位よりも上がることがなくなり、前記排水タンク２０から除湿水が溢れ出すことをぼうしできるという効果がある。
【００４０】
【発明の効果】
本発明の請求項１によると、蒸発器で除去された水分を貯留し、前記本体に設けられた収納室に着脱自在に装着される排水タンクと、該排水タンクの上方に上下回動可能に枢支されたハンドルとを備え、前記本体と前記排水タンクとの間に手が挿入できる空間部を形成し、前記ハンドルを前記空間部に臨ませたので、使用者は、前記空間部から手を挿入して前記ハンドルに手を掛けて前記収納室から前に引き出し、手を持ち替えることなくそのまま前記ハンドルを掴んで前記排水タンクを持ち上げることができ、使用勝手の向上を図ることができる。また、前記排水タンクを引き出すための窪み部分を前記排水タンクに形成しなくてよいので、前記排水タンクの容量が小さくなることを抑制できる等の効果を奏する。
【００４１】
本発明の請求項２によると、前記空間部を前記ハンドルの上方に形成したので、前記ハンドルを掴む手の方向が順手となり、前記排水タンクが持ち運び易くなり、より使用勝手を向上させることができる等の効果を奏する。
【００４２】
本発明の請求項３によると、前記排水タンクは、前記本体の前面から着脱されるので、使用者は、前記本体の前面側から前記ハンドルに手を掛けることができ、前記排水タンクを前記収納室から簡単に取り外すことができる等の効果を奏する。
【００４３】
本発明の請求項４によると、前記ハンドルが着脱方向に案内される案内溝を前記収納室に形成したので、前記排水タンクを前記収納室から取り外すときは、前記ハンドルが前記案内溝に沿って引き出され、前記排水タンクが傾いたり揺れたりしにくくなり、前記排水タンクから水が零れることを防止できる。また、前記排水タンクを前記収納室に収納するときは、前記ハンドルが前記案内溝に沿って収納されるので、前記排水タンクを前記収納室の所定位置に確実に収納することができる等の効果を奏する。
【００４４】
本発明の請求項５によると、前記ハンドルの枢支部分に前記ハンドルを上方向へ回動させる付勢部材を設けたので、前記排水タンクが前記収納室から取り外された状態では、前記ハンドルは上方向まで回動しているため、使用者は、前記ハンドルが掴み易くなり、前記排水タンクを簡単に持ち運びできる等の効果を奏する。
【００４５】
本発明の請求項６によると、前記ハンドルが前記排水タンクの上面に対して略垂直位置まで回動したとき、前記ハンドルの回動が規制される規制手段を設けたので、満水状態となった前記排水タンクを持ち運ぶとき、前記排水タンクを略水平状態で運ぶことができ、除湿水が前記排水タンクから零れることを防止できる等の効果を奏する。
【００４６】
本発明の請求項７によると、前記排水タンクが満水水位に達したとき、前記本体の除湿運転を停止するので、前記排水タンクの水位が満水水位よりも上がることがなくなり、前記排水タンクから除湿水が溢れ出すことを防止できる等の効果を奏する。
【図面の簡単な説明】
【図１】本発明の実施例を示す除湿機の本体斜視図である。
【図２】同除湿機の側面断面図である。
【図３】同除湿機の排水タンクを取り出す動作を示す状態図である。
【図４】同除湿機の排水タンクの正面図である。
【図５】同除湿機を上方から見たときの断面図である。
【符号の説明】
１　　　　　本体
１５　　　　　蒸発器
１８　　　　　収納室
２０　　　　　排水タンク
２２　　　　　ハンドル
２６　　　　　空間部
２５　　　　　案内溝
２３　　　　　バネ（付勢部材）
２４　　　　　当接部（規制手段）
【図１】
2004061042.tif 000003
【図２】
2004061042.tif 000004
【図３】
2004061042.tif 000005
【図４】
2004061042.tif 000006
【図５】
2004061042.tif 000007